(57)【要約】【課題】音響共鳴現象を抑制できる放電ランプを提供する。【解決手段】放電ランプ１００は、第１電極１０および第２電極２０と、第１電極１０の先端部１２および第２電極２０の先端部２２が対向配置された放電空間３２を有する発光管３０と、を含み、発光管３０の前記放電空間に面する内壁面３４には、第１凸部３６−１および第２凸部３６−２が形成され、第１凸部３６−１と、第１電極１０の先端部１２との間の距離をＬ１とし、第１凸部３６−１と第２凸部３６−２との間の内壁面３４ｄと、第１電極１０の先端部１２との間の距離をＬ２とすると、下記式（１）を満たす。｜Ｌ１−Ｌ２｜＝ｎπλ・・・（１）ただし、ｎは奇数であり、λは前記第１電極の先端部を発振源とする音響波の波長である。【選択図】図２
2012195199.tif 000002
【特許請求の範囲】
【請求項１】
第１電極および第２電極と、
前記第１電極の先端部および前記第２電極の先端部が対向配置された放電空間を有する発光管と、
を含み、
前記発光管の前記放電空間に面する内壁面には、第１凸部および第２凸部が形成され、
前記第１凸部と、前記第１電極の先端部との間の距離をＬ１とし、
前記第１凸部と前記第２凸部との間の前記内壁面と、前記第１電極の先端部との間の距離をＬ２とすると、
下記式（１）を満たすことを特徴とする放電ランプ。
｜Ｌ１−Ｌ２｜＝ｎπλ・・・（１）
ただし、ｎは奇数であり、λは前記第１電極の先端部を発振源とする音響波の波長である。
【請求項２】
前記第１凸部の高さと前記第２凸部の高さは、同じであることを特徴とする請求項１に記載の放電ランプ。
【請求項３】
前記放電空間内には、放電媒質が封入され、
前記放電媒質は、水銀を含むことを特徴とする請求項１または２に記載の放電ランプ。
【請求項４】
前記発光管の内壁面には、さらに、第３凸部および第４凸部が形成され、
前記第３凸部と、前記第２電極の先端部との間の距離をＬ３とし、
前記第３凸部と前記第４凸部との間の前記内壁面と、前記第２電極の先端部との間の距離をＬ４とすると、
下記式（２）を満たすことを特徴とする請求項１ないし３のいずれか１項に記載の放電ランプ。
｜Ｌ３−Ｌ４｜＝ｎπλ´・・・（２）
ただし、ｎは奇数であり、λ´は前記第２電極の先端部を発振源とする音響波の波長である。
【請求項５】
前記第１凸部と、前記第２電極の先端部との間の距離をＬ５とし、
前記第１凸部と前記第２凸部との間の前記内壁面と、前記第２電極の先端部との間の距離をＬ６とすると、
下記式（３）を満たすことを特徴とする請求項１ないし４のいずれか１項に記載の放電ランプ。
｜Ｌ５−Ｌ６｜＝ｎπλ´・・・（３）
ただし、ｎは奇数であり、λ´は前記第２電極の先端部を発振源とする音響波の波長である。
【請求項６】
請求項１ないし５のいずれか１項に記載の放電ランプと、
前記放電ランプから射出された光を画像情報に応じて変調する光変調装置と、
前記光変調装置によって形成された画像を投射する投射装置と、
を含むことを特徴とするプロジェクター。
【発明の詳細な説明】
【技術分野】
【０００１】
本発明は、放電ランプおよびプロジェクターに関する。
【背景技術】
【０００２】
プロジェクターなどの光源として、一般的に、高圧水銀ランプやメタルハライドランプなどの放電ランプが用いられている。これらの放電ランプでは、例えば、点灯周波数を１０ｋＨｚ以上の高い周波数にすると、音響共鳴現象が発生する場合がある。放電ランプに音響共鳴現象が発生すると、電極が振動して照明としての性能に悪影響を及ぼしたり、電極が破壊されたりする場合があるため、望ましくない。
【０００３】
この音響共鳴現象の影響を低減するために、例えば、特許文献１には、音響共鳴現象を生じる周波数の変化特性を考慮して、放電ランプの点灯周波数を制御した放電灯点灯装置が開示されている。
【先行技術文献】
【特許文献】
【０００４】
【特許文献１】特開２００８−８４７８２号公報
【発明の概要】
【発明が解決しようとする課題】
【０００５】
本発明のいくつかの態様に係る目的の１つは、音響共鳴現象を抑制できる放電ランプを提供することにある。また、本発明のいくつかの態様に係る目的の１つは、上述の放電ランプを含むプロジェクターを提供することにある。
【課題を解決するための手段】
【０００６】
本発明に係る放電ランプは、
第１電極および第２電極と、
前記第１電極の先端部および前記第２電極の先端部が対向配置された放電空間を有する発光管と、
を含み、
前記発光管の前記放電空間に面する内壁面には、第１凸部および第２凸部が形成され、
前記第１凸部と、前記第１電極の先端部との間の距離をＬ１とし、
前記第１凸部と前記第２凸部との間の前記内壁面と、前記第１電極の先端部との間の距離をＬ２とすると、
下記式（１）を満たす。
【０００７】
｜Ｌ１−Ｌ２｜＝ｎπλ・・・（１）
ただし、ｎは奇数であり、λは前記第１電極の先端部を発振源とする音響波の波長である。
【０００８】
このような放電ランプによれば、第１凸部で反射されて第１電極の先端部に向かって進行する音響波と、第１凸部と第２凸部の間の内壁面で反射されて第１電極の先端部に向かって進行する音響波とが打ち消しあう。したがって、音響共鳴現象を抑制することができる。
【０００９】
本発明に係る放電ランプにおいて、
前記第１凸部の高さと前記第２凸部の高さは、同じであってもよい。
【００１０】
このような放電ランプによれば、第１凸部および第２凸部の設計や製造を容易化することができる。
【００１１】
本発明に係る放電ランプにおいて、
前記放電空間内には、放電媒質が封入され、
前記放電媒質は、水銀を含んでいてもよい。
【００１２】
このような放電ランプによれば、水銀ランプとして機能することができる。
【００１３】
本発明に係る放電ランプにおいて、
前記発光管の内壁面には、さらに、第３凸部および第４凸部が形成され、
前記第３凸部と、前記第２電極の先端部との間の距離をＬ３とし、
前記第３凸部と前記第４凸部との間の前記内壁面と、前記第２電極の先端部との間の距離をＬ４とすると、
下記式（２）を満たしていてもよい。
【００１４】
｜Ｌ３−Ｌ４｜＝ｎπλ´・・・（２）
ただし、ｎは奇数であり、λ´は前記第２電極の先端部を発振源とする音響波の波長である。
【００１５】
このような放電ランプによれば、第３凸部で反射されて第２電極の先端部に向かって進行する音響波と、第３凸部と第４凸部との間の内壁面で反射されて第２電極の先端部に向かって進行する音響波とが打ち消しあう。したがって、より音響共鳴現象を抑制することができる。
【００１６】
本発明に係る放電ランプにおいて、
前記第１凸部と、前記第２電極の先端部との間の距離をＬ５とし、
前記第１凸部と前記第２凸部との間の前記内壁面と、前記第２電極の先端部との間の距離をＬ６とすると、
下記式（３）を満たしていてもよい。
【００１７】
｜Ｌ５−Ｌ６｜＝ｎπλ´・・・（３）
ただし、ｎは奇数であり、λ´は前記第２電極の先端部を発振源とする音響波の波長である。
【００１８】
このような放電ランプによれば、第１凸部で反射されて第２電極の先端部に向かって進行する音響波と、第１凸部と第２凸部との間の内壁面で反射されて第２電極の先端部に向かって進行する音響波とが打ち消しあう。したがって、より音響共鳴現象を抑制することができる。
【００１９】
本発明に係るプロジェクターは、
本発明に係る放電ランプと、
前記放電ランプから射出された光を画像情報に応じて変調する光変調装置と、
前記光変調装置によって形成された画像を投射する投射装置と、
を含む。
【００２０】
このようなプロジェクターによれば、本発明に係る放電ランプを有するため、良好な画像を得ることができる。
【図面の簡単な説明】
【００２１】
【図１】第１実施形態に係る放電ランプを模式的に示す断面図。
【図２】第１実施形態に係る放電ランプの要部を模式的に示す断面図。
【図３】第１実施形態に係る放電ランプの発光管の内壁面の一部を模式的に示す平面図。
【図４】変形例に係る発光管の内壁面の一部を模式的に示す平面図。
【図５】第１実施形態の第１変形例に係る放電ランプを模式的に示す断面図。
【図６】第１実施形態の第２変形例に係る放電ランプを模式的に示す断面図。
【図７】第２実施形態に係る放電ランプを模式的に示す断面図。
【図８】第３実施形態に係るプロジェクターを模式的に示す図。
【発明を実施するための形態】
【００２２】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２３】
１．  第１実施形態
１．１．  放電ランプ
ます、第１実施形態に係る放電ランプの構成について、図面を参照しながら説明する。図１は、本実施形態に係る放電ランプ１００を模式的に示す断面図である。
【００２４】
放電ランプ１００は、図１に示すように、第１電極１０と、第２電極２０と、発光管３０と、を含む。
【００２５】
第１電極１０は、発光管３０の第１端部３０ａ側に配置され、第２電極２０は、発光管３０の第２端部３０ｂ側に配置されている。これらの電極１０，２０の形状は、発光管３０の中心軸ＡＸに沿って延びる棒形状である。また、放電空間３２内には、２つの電極１０，２０が、発光管３０から突き出している。第１電極１０の先端部（放電端）１２と第２電極２０の先端部（放電端）２２は、放電空間３２内で対向配置されている。すなわち、放電空間３２内では、各電極１０，２０の先端部１２，２２が、所定距離だけ離れて向かい合って配置されている。なお、これらの電極１０，２０の材質は、例えば、タングステン等の金属である。
【００２６】
第１電極１０および第２電極２０は、放電ランプ駆動装置（図示しない）に接続されている。放電ランプ駆動装置は、これらの電極１０，２０に、交流電流を供給する。その結果、２つの電極１０，２０の間でアーク放電が起きる。アーク放電により発生した光（放電光）は、２つの電極１０，２０の間の放電位置から全方向に向かって放射される。放電ランプ駆動装置が電極１０，２０に供給する交流電流の周波数は、例えば、１０ｋＨｚ以上１０ＭＨｚ以下である。すなわち、放電ランプ１００の点灯周波数は、１０ｋＨｚ以上１０ＭＨｚ以下である。放電ランプ１００は、例えば、超高圧水銀ランプ、メタルハライドランプ、キセノンランプ等のアーク放電型の放電ランプである。
【００２７】
放電ランプ１００は、各電極１０，２０の極性を繰り返し交替させる交流駆動の放電ランプである。
【００２８】
具体的には、まず、第１電極１０が陽極として動作し、第２電極２０が陰極として動作する。この状態では、放電によって、第２電極２０から第１電極１０へ電子が移動する。第２電極２０からは、電子が放出される。第２電極２０から電子が放出されるとき、電子のエネルギーは高い状態であるため、第２電極２０付近の水銀等の放電物質のエネルギーを励起させ、強い発光が起こる。発光が強いということは、すなわち、高圧高温の熱プラズマが発生していると換言できる。この熱により、第２電極２０の先端部２２のまわりの水銀等の放電媒質が膨張する。
【００２９】
次に、第２電極２０が陽極として動作し、第１電極１０が陰極として動作する。この状態では、逆に、第１電極１０から第２電極２０へ電子が移動する。そのため、第１電極１０の先端部１２の温度が上昇する。その結果、第１電極１０の先端部１２のまわりの放電媒質が膨張する。また、第２電極２０の先端部２２は、温度が低下するため、第２電極２０の先端部２２のまわりの放電媒質が収縮する。
【００３０】
各電極１０，２０の極性が繰り返し交替することで、各電極１０，２０の先端部１２，２２のまわりの放電媒質が膨張、収縮を繰り返す。これにより、各電極１０，２０の先端部１２，２２を発振源とする音響波が発生する。一般的に、この発生した音響波が、発光管の内壁面で反射されて各電極の先端部に戻り、発振源（各電極の先端部）からの音響波と共鳴することにより、音響共鳴現象が起こる。
【００３１】
なお、上述した例では、まず、第１電極１０が陽極として動作し、第２電極２０が陰極として動作し、次に、第２電極２０が陽極として動作し、第１電極１０が陰極として動作する例について説明したが、この順序は、逆であってもよい。
【００３２】
発光管３０の形状は、第１端部３０ａから第２端部３０ｂまで、中心軸ＡＸに沿って延びる棒形状である。発光管３０の材質は、例えば、石英ガラス等の透光性材料である。発光管３０の中央部は球状に膨らんでおり、その内には、放電空間３２が形成されている。放電空間３２は、発光管３０の内壁面３４で囲まれている。放電空間３２内には、水銀、金属ハロゲン化合物等の発光物質と、希ガス、ハロゲンガス等の気体と、が封入されている。これらは、第１電極１０と第２電極２０との間に放電を発生させるための放電媒質である。例えば、放電空間３２に水銀を含む放電媒質が封入されることにより、放電ランプ１００は、水銀ランプとして機能することができる。
【００３３】
図２は、放電ランプ１００の要部を模式的に示す断面図である。図３は、発光管３０の内壁面３４の一部を模式的に示す平面図である。なお、図２は、図１の一部を拡大したものである。
【００３４】
発光管３０の内壁面３４は、放電空間３２に面している。発光管３０の内壁面３４には、第１凸部３６−１および第２凸部３６−２が形成されている。図示の例では、発光管３０の内壁面３４には、複数の凸部３６が形成されており、この複数の凸部３６のうち、隣り合う凸部が第１凸部３６−１および第２凸部３６−２である。つまり、第１凸部３６−１および第２凸部３６−２は、複数の凸部３６のうちの隣り合う凸部である。第１凸部３６−１および第２凸部３６−２の位置は、特に限定されない。
【００３５】
凸部３６は、内壁面３４から突き出た部分である。凸部３６の形状は、例えば、錐台状である。図示の例では、凸部３６の形状は、四角錐台である。なお、凸部３６の形状は、内壁面３４から突き出ていれば特に限定されない。凸部３６の形状は、すべて同じであってもよい。例えば、第１凸部３６−１の高さＨと第２凸部３６−２の高さＨとは、同じであってもよい。また、例えば、凸部３６の高さＨが、すべて同じであってもよい。ここで、凸部の高さＨとは、内壁面３４の垂線方向における、内壁面３４と凸部３６の上面との間の距離である。凸部３６の材質は、上述した発光管３０の材質と同じである。凸部３６の高さＨは、例えば、０．１ｍｍである。また、凸部３６の幅Ｗは、例えば、０．１ｍｍである。凸部３６は、例えば、発光管を加熱し、所望の形状に加工することにより形成される。
【００３６】
凸部３６は、図３に示すように、例えば、周期的に配置されている。図示の例では、凸部３６は、千鳥格子状に配置されている。なお、凸部３６の配置は、特に限定されない。
【００３７】
図４は、変形例に係る発光管３０の内壁面３４の一部を模式的に示す平面図である。凸部３６は、周期的に配置されなくてもよい。各凸部３６は、内壁面３４の任意の箇所に形成されていてもよい。
【００３８】
第１凸部３６−１と第１電極１０の先端部１２との間の距離をＬ１とし、第１凸部３６−１と第２凸部３６−２との間の内壁面３４ｄと第１電極１０の先端部１２との間の距離をＬ２とすると、放電ランプ１００では、下記式（１）を満たす。
【００３９】
｜Ｌ１−Ｌ２｜＝ｎπλ・・・（１）
ただし、ｎは奇数であり、λは第１電極１０の先端部１２を発振源とする音響波（音響波Ｗ１，Ｗ２）の波長である。
【００４０】
なお、第１凸部３６−１と第１電極１０の先端部１２との間の距離Ｌ１とは、第１凸部３６−１の表面内の所定の点と、第１電極１０の先端部１２との間の距離である。距離Ｌ１は、図示の例では、第１凸部３６−１の上面の中心３６ａと、第１電極１０の先端部１２との間の距離である。ここで、第１電極１０の先端部１２とは、例えば、第１電極１０において、第２電極２０との間の距離が最も小さい部分をいう。
【００４１】
また、第１凸部３６−１と第２凸部３６−２との間の内壁面３４ｄと、第１電極１０の先端部１２との間の距離とは、内壁面３４ｄ内の所定の点と、第１電極１０の先端部１２との間の距離である。図示の例では、距離Ｌ２とは、内壁面３４ｄの中心３４ａと第１電極１０の先端部１２との間の距離である。また、第１凸部３６−１と第２凸部３６−２との間の内壁面３４ｄとは、第１凸部３６−１と第２凸部３６−２の間に配置され、第１凸部３６−１と隣り合う内壁面である。
【００４２】
また、音響波Ｗ１とは、第１電極１０の先端部１２を発振源とし、第１凸部３６−１の表面内の所定の点を含む領域で反射されて、第１電極１０の先端部１２に向かって進行する音響波である。音響波Ｗ２とは、第１電極１０の先端部１２を発振源とし、内壁面３４ｄ内の所定の点を含む領域で反射されて、第１電極１０の先端部１２に向かって進行する音響波である。音響波Ｗ１の波長と音響波Ｗ２の波長は、例えば、同じである。
【００４３】
距離Ｌ１と距離Ｌ２とが式（１）の関係を満たすことにより、第１凸部３６−１で反射されて第１電極１０の先端部１２に向かって進行する音響波Ｗ１と、内壁面３４ｄで反射されて第１電極１０の先端部１２に向かって進行する音響波Ｗ２とが打ち消しあう。これにより、音響共鳴現象を抑制することができる。この理由は、以下のとおりである。
【００４４】
音響波Ｗ１は、第１電極１０の先端部１２から第１凸部３６−１に向かって進行する。そして、音響波Ｗ１は、第１凸部３６−１で反射される。この第１凸部３６−１で反射された音響波Ｗ１は、第１電極１０の先端部１２に向かって進行する。また、音響波Ｗ２は、第１電極１０の先端部１２から内壁面３４ｄに向かって進行する。そして、音響波Ｗ２は、内壁面３４ｄで反射される。この内壁面３４ｄで反射された音響波Ｗ２は、第１電極１０の先端部１２に向かって進行する。そして、音響波Ｗ１と音響波Ｗ２とは、第１電極１０の先端部１２に到達するまでの間に干渉する。この干渉波（音響波Ｗ１と音響波Ｗ２の合成波）の強度Ｉは、下記式で表すことができる。
【００４５】
【数１】
2012195199.tif 000003
【００４６】
ただし、Ａは、音響波Ｗ１，Ｗ２の振幅である。
【００４７】
ここで、距離Ｌ１と距離Ｌ２が上述した式（１）の関係を満たすことで、Ｉ＝０となる。すなわち、第１凸部３６−１で反射されて第１電極１０の先端部１２に向かって進行する音響波Ｗ１と、内壁面３４ｄで反射されて第１電極１０の先端部１２に向かって進行する音響波Ｗ２とは、第１電極１０の先端部１２において、打ち消しあう。これにより、第１凸部３６−１および内壁面３４ｄで反射されて第１電極１０の先端部１２に向かって進行する音響波Ｗ１，Ｗ２と発振源（第１電極１０の先端部１２）からの音響波Ｗ１，Ｗ２との間の共鳴を抑制することができる。したがって、音響共鳴効果を抑制することができる。
【００４８】
放電ランプ１００は、例えば、以下の特徴を有する。
【００４９】
放電ランプ１００では、第１凸部３６−１と第１電極１０の先端部１２との間の距離Ｌ１と、第１凸部３６−１と第２凸部３６−２との間の内壁面３４ｄと、第１電極１０の先端部１２との間の距離Ｌ２とが、上述した式（１）の関係を満たしている。これにより、第１凸部３６−１で反射されて第１電極１０の先端部１２に向かって進行する音響波Ｗ１と、内壁面３４ｄで反射されて第１電極１０の先端部１２に向かって進行する音響波Ｗ２とが打ち消しあう。したがって、音響共鳴現象を抑制することができる。
【００５０】
放電ランプ１００では、第１凸部３６−１の高さＨと第２凸部３６−２の高さＨは、同じ大きさである。これにより、第１凸部３６−１および第２凸部３６−２の設計や製造を容易化することができる。
【００５１】
放電ランプ１００では、放電空間３２内には、放電媒質が封入され、当該放電媒質は、水銀およびハロゲンガスを含む。これにより、放電ランプ１００を水銀ランプとして機能させることができる。
【００５２】
１．２．  放電ランプの変形例
次に、本実施形態の変形例に係る放電ランプについて、図面を参照しながら説明する。以下、本実施形態の変形例に係る放電ランプにおいて、本実施形態に係る放電ランプ１００の構成部材と同様の機能を有する部材については同一の符号を付し、その詳細な説明を省略する。
【００５３】
（１）第１変形例
まず、第１変形例に係る放電ランプについて説明する。図５は、第１変形例に係る放電ランプ２００の一部を模式的に示す断面図である。
【００５４】
放電ランプ１００の例では、図２に示すように、第１凸部３６−１と第１電極１０の先端部１２との間の距離Ｌ１と、第１凸部３６−１と第２凸部３６−２との間の内壁面３４ｄと第１電極１０の先端部１２との間の距離Ｌ２とが、上述した式（１）の関係を満たしていた。
【００５５】
これに対して、放電ランプ２００では、さらに、第３凸部３６−３と第２電極２０の先端部２２との間の距離Ｌ３と、第３凸部３６−３と第４凸部３６−４との間の内壁面３４ｅと第２電極２０の先端部２２との間の距離Ｌ４とが、下記式（２）の関係を満たしている。
【００５６】
｜Ｌ３−Ｌ４｜＝ｎπλ´・・・（２）
ただし、ｎは奇数であり、λ´は第２電極２０の先端部２２を発振源とする音響波（音響波Ｗ３，Ｗ４）の波長である。
【００５７】
これにより、第２電極２０の先端部２２を発振源とし、第３凸部３６−３で反射されて第２電極２０の先端部２２に向かって進行する音響波Ｗ３と、第２電極２０の先端部２２を発振源とし、内壁面３４ｅで反射されて第２電極２０の先端部２２に向かって進行する音響波Ｗ４とが打ち消しあう。したがって、より音響共鳴現象を抑制することができる。
【００５８】
第３凸部３６−３および第４凸部３６−４は、内壁面３４に形成される。第３凸部３６−３および第４凸部３６−４は、複数の凸部３６のうちの隣り合う凸部である。第３凸部３６−３および第４凸部３６−４の位置は、特に限定されない。
【００５９】
（２）第２変形例
次に、第２変形例に係る放電ランプについて説明する。図６は、第１変形例に係る放電ランプ３００の一部を模式的に示す断面図である。
【００６０】
放電ランプ１００の例では、図２に示すように、第１凸部３６−１と第１電極１０の先端部１２との間の距離Ｌ１と、第１凸部３６−１と第２凸部３６−２との間の内壁面３４ｄと第１電極１０の先端部１２との間の距離Ｌ２とが、上述した式（１）の関係を満たしていた。
【００６１】
これに対して、放電ランプ２００では、さらに、第１凸部３６−１と第２電極２０の先端部２２との間の距離Ｌ５と、第１凸部３６−１と第２凸部３６−２との間の内壁面３４ｄと第２電極２０の先端部２２との間の距離Ｌ６とが、下記式（３）の関係を満たしている。
【００６２】
｜Ｌ５−Ｌ６｜＝ｎπλ´・・・（３）
ただし、ｎは奇数であり、λ´は第２電極２０の先端部２２を発振源とする音響波（音響波Ｗ５，Ｗ６）の波長である。
【００６３】
これにより、第２電極２０の先端部２２を発振源とし、第１凸部３６−１で反射されて第２電極２０の先端部２２に向かって進行する音響波Ｗ５と、第２電極２０の先端部２２を発振源とし、内壁面３４ｄで反射されて第２電極２０の先端部２２に向かって進行する音響波Ｗ６とが打ち消しあう。したがって、より音響共鳴現象を抑制することができる。
【００６４】
２．  第２実施形態
次に、第２実施形態に係る放電ランプの構成について、図面を参照しながら説明する。図７は、第２実施形態に係る放電ランプ４００を模式的に示す断面図である。
【００６５】
放電ランプ４００は、さらに、リフレクター４１０を含む。
【００６６】
発光管３０の第１端部３０ａには、リフレクター４１０が固定されている。リフレクター４１０の反射面の形状は、例えば、回転楕円形状である。リフレクター４１０は、放電光を照射方向Ｄに向かって反射する。なお、リフレクター４１０の反射面の形状としては、回転楕円形状に限らず、放電光を照射方向Ｄに向かって反射させるような種々の形状を採用可能である。例えば、リフレクター４１０の反射面の形状として、回転放物線形状を採用してもよい。この場合、リフレクター４１０は、放電光を、発光管３０の中心軸ＡＸに沿った光に変換することができる。
【００６７】
放電ランプ４００は、さらに、リフレクター４１０を含む。これにより、２つの電極１０，２０の間の放電位置から全方向に向かって放射される放電光を、所定の照射方向Ｄに向かって反射させることができる。これにより、放電光の利用効率を高めることができる。
【００６８】
さらに、放電ランプ４００によれば、放電ランプ１００と同様の作用効果を奏することができる。
【００６９】
３．  第３実施形態
次に、第３実施形態に係るプロジェクター１０００について、図面を参照しながら説明する。図８は、プロジェクター１０００を模式的に示す図である。なお、図８では、便宜上、プロジェクター１０００を構成する筐体の図示は省略している。
【００７０】
プロジェクター１０００は、スクリーン（図示しない）へ光を投射し、スクリーンで反射する光を観察することで画像を鑑賞するフロント投射型のプロジェクターである。
【００７１】
プロジェクター１０００は、図８に示すように、放電ランプ４００と、平行化レンズ１０２と、照明光学系１１０と、色分離光学系１２０と、３つの光変調装置１３０Ｒ、１３０Ｇ、１３０Ｂと、クロスダイクロイックプリズム１４０と、投射レンズ（投射装置）１５０とを有している。
【００７２】
プロジェクター１０００は、本発明に係る放電ランプ（例えば、放電ランプ４００）を有する。放電ランプ４００は、赤色（Ｒ）光、緑色（Ｇ）光、青色（Ｂ）光を含む光を射出する。放電ランプ４００からの光は、平行化レンズ１０２を通過して照明光学系１１０に入射する。この平行化レンズ１０２は、放電ランプ４００からの光を、平行化する。平行化レンズ１０２は、例えば、凹レンズである。
【００７３】
照明光学系１１０は、放電ランプ４００からの光の照度を光変調装置１３０Ｒ，１３０Ｇ，１３０Ｂにおいて均一化する。また、照明光学系１１０は、放電ランプ４００からの光の偏光方向を一方向に揃える。この理由は、放電ランプ４００からの光を光変調装置１３０Ｒ，１３０Ｇ，１３０Ｂで有効に利用するためである。
【００７４】
照明光学系１１０は、第１インテグレータレンズ１１２と、第２インテグレータレンズ１１４と、偏光変換素子１１６と、重畳レンズ１１８と、を有している。
【００７５】
第１インテグレータレンズ１１２および第２インテグレータレンズ１１４は、アレイ状に配列された複数のレンズ素子を有する。第１インテグレータレンズ１１２は、平行化レンズ１０２からの光束を複数に分割する。第１インテグレータレンズ１１２の各レンズ素子は、平行化レンズ１０２からの光束を第２インテグレータレンズ１１４のレンズ素子近傍で集光させる。第２インテグレータレンズ１１４のレンズ素子は、第１インテグレータレンズ１１２のレンズ素子の像を光変調装置上に形成する。
【００７６】
２つのインテグレータレンズ１１２，１１４を経た光は、偏光変換素子１１６で特定の振動方向の直線偏光に変換される。重畳レンズ１１８は、第１インテグレータレンズ１１２の各レンズ素子の像を光変調装置上で重畳させる。第１インテグレータレンズ１１２、第２インテグレータレンズ１１４、および重畳レンズ１１８は、放電ランプ４００からの光の強度分布を光変調装置上で均一化させる。重畳レンズ１１８からの光は、色分離光学系１２０（第１ダイクロイックミラー１２１）に入射する。
【００７７】
色分離光学系１２０は、入射光を、赤（Ｒ）、緑（Ｇ）、青（Ｂ）の３つの色光に分離する。色分離光学系１２０は、第１ダイクロイックミラー１２１と、反射ミラー１２２，１２６，１２８と、フィールドレンズ１２３Ｒ，１２３Ｇ，１２３Ｂと、第２ダイクロイックミラー１２４と、リレーレンズ１２５，１２７と、を有している。
【００７８】
第１ダイクロイックミラー１２１は、Ｒ光を反射し、Ｇ光およびＢ光を透過させる。第１ダイクロイックミラー１２１へ入射したＲ光は、第１ダイクロイックミラー１２１および反射ミラー１２２における反射により光路が折り曲げられ、Ｒ光用フィールドレンズ１２３Ｒへ入射する。Ｒ光用フィールドレンズ１２３Ｒは、反射ミラー１２２からのＲ光を平行化し、Ｒ光用光変調装置１３０Ｒへ入射させる。
【００７９】
第１ダイクロイックミラー１２１を透過したＧ光およびＢ光は、第２ダイクロイックミラー１２４へ入射する。第２ダイクロイックミラー１２４は、Ｇ光を反射し、Ｂ光を透過させる。第２ダイクロイックミラー１２４へ入射したＧ光は、第２ダイクロイックミラー１２４での反射により光路が折り曲げられ、Ｇ光用フィールドレンズ１２３Ｇへ入射する。Ｇ光用フィールドレンズ１２３Ｇは、第２ダイクロイックミラー１２４からのＧ光を平行化し、Ｇ光用光変調装置１３０Ｇへ入射させる。
【００８０】
第２ダイクロイックミラー１２４を透過したＢ光は、リレーレンズ１２５を透過した後、反射ミラー１２６での反射により光路が折り曲げられる。反射ミラー１２６からのＢ光は、さらにリレーレンズ１２７を透過した後、反射ミラー１２８での反射により光路が折り曲げられ、Ｂ光用フィールドレンズ１２３Ｂへ入射する。Ｒ光の光路およびＧ光の光路よりもＢ光の光路が長いことから、光変調装置における照明倍率を他の色光と等しくするために、Ｂ光の光路には、リレーレンズ１２５，１２７を用いるリレー光学系が採用されている。
【００８１】
Ｒ光用光変調装置１３０Ｒは、Ｒ光を画像情報に応じて変調する空間光変調装置であって、透過型液晶表示装置である。Ｒ光用光変調装置１３０Ｒに設けられた液晶パネルは、２つの透明基板の間に、光を画像情報に応じて変調するための液晶層を封入している。Ｒ光用光変調装置１３０Ｒで変調されたＲ光は、色合成光学系であるクロスダイクロイックプリズム１４０へ入射する。
【００８２】
Ｇ光用光変調装置１３０Ｇは、Ｇ光を画像情報に応じて変調する空間光変調装置であって、透過型液晶表示装置である。Ｇ光用光変調装置１３０Ｇで変調されたＧ光は、クロスダイクロイックプリズム１４０のうちＲ光が入射する面とは異なる面へ入射する。
【００８３】
Ｂ光用光変調装置１３０Ｂは、Ｂ光を画像情報に応じて変調する空間光変調装置であって、透過型液晶表示装置である。Ｂ光用光変調装置１３０Ｂで変調されたＢ光は、クロスダイクロイックプリズム１４０のうちＲ光が入射する面、Ｇ光が入射する面とは異なる面へ入射する。
【００８４】
クロスダイクロイックプリズム１４０は、互いに略直交する２つのダイクロイック膜１４２，１４４を有する。第１ダイクロイック膜１４２は、Ｒ光を反射し、Ｇ光およびＢ光を透過させる。第２ダイクロイック膜１４４は、Ｂ光を反射し、Ｒ光およびＧ光を透過させる。クロスダイクロイックプリズム１４０は、それぞれ異なる方向から入射したＲ光、Ｇ光およびＢ光を合成し、投射レンズ１５０の方向へ射出する。投射レンズ１５０は、クロスダイクロイックプリズム１４０で合成された光をスクリーンの方向へ投射する。
【００８５】
プロジェクター１０００によれば、音響共鳴現象を抑制できる放電ランプ４００を有するため、良好な画像を得ることができる。
【００８６】
なお、プロジェクター１０００は、光変調装置として透過型液晶表示装置を用いる場合に限られない。光変調装置としては、反射型液晶表示装置（Liquid  Crystal  On  Silicon；ＬＣＯＳ）、ＤＭＤ（Digital  Micromirror  Device）、ＧＬＶ（Grating  Light  Valve）等を用いてもよい。プロジェクター１０００は、色光ごとに光変調装置を備える構成に限られない。プロジェクター１０００は、１つの光変調装置により２つまたは３つ以上の色光を変調する構成としてもよい。プロジェクター１０００は、光変調装置を用いる場合に限られない。プロジェクター１０００は、画像情報を持たせたスライドを用いるスライドプロジェクターであってもよい。
【００８７】
なお、本発明は、上述の実施形態に限定されず、本発明の要旨の範囲内で種々の変形実施が可能である。
【００８８】
例えば、図１および図２に示す放電ランプ１００の例では、複数の凸部３６のうちの１つである第１凸部３６−１と、第１凸部３６−１と第２凸部３６−２との間の内壁面３４ｄとが式（１）の関係を満たす場合について説明した。すなわち、式（１）の関係を満たす第１凸部３６−１が１つ形成されていた。これに対し、式（１）の関係を満たす第１凸部３６−１が、複数設けられてもよい。これにより、より音響共鳴現象を抑制することができる。
【００８９】
また、図５に示す放電ランプ２００においても、式（２）の関係を満たす第３凸部３６−３が、複数設けられてもよい。これにより、より音響共鳴現象を抑制することができる。
【００９０】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００９１】
Ｗ１，Ｗ２，Ｗ３，Ｗ４，Ｗ５，Ｗ６  音響波、ＡＸ  中心軸、Ｄ  照射方向、
１０  第１電極、１２  先端部、２０  第２電極、２２  先端部、３０  発光管、
３０ａ  第１端部、３０ｂ  第２端部、３２  放電空間、
３４，３４ｄ，３４ｅ  内壁面、３４ａ  中心、３６  凸部、３６−１  第１凸部、
３６−２  第２凸部、３６−３  第３凸部、３６−４  第４凸部、３６ａ  中心、
１００，２００，３００，４００  放電ランプ、４１０  リフレクター、
１０２  平行化レンズ、１１０  照明光学系、１１２  第１インテグレータレンズ、
１１４  第２インテグレータレンズ、１１６  偏光変換素子、１１８  重畳レンズ、
１２０  色分離光学系、１２１  第１ダイクロイックミラー、
１２２，１２６，１２８  反射ミラー、１２３Ｒ  Ｒ光用フィールドレンズ、
１２３Ｇ  Ｇ光用フィールドレンズ、１２３Ｂ  Ｂ光用フィールドレンズ、
１２４  第２ダイクロイックミラー、１２５，１２７  リレーレンズ、
１３０Ｒ  Ｒ光用光変調装置、１３０Ｇ  Ｇ光用光変調装置、
１３０Ｂ  Ｂ光用光変調装置、１４０  クロスダイクロイックプリズム、
１４２  第１ダイクロイック膜、１４４  第２ダイクロイック膜、１５０  投射レンズ、１０００  プロジェクター
【図１】
2012195199.tif 000004
【図２】
2012195199.tif 000005
【図３】
2012195199.tif 000006
【図４】
2012195199.tif 000007
【図５】
2012195199.tif 000008
【図６】
2012195199.tif 000009
【図７】
2012195199.tif 000010
【図８】
2012195199.tif 000011